(57)【特許請求の範囲】
【請求項１】
遊技機の近傍に設けられるとともに遊技に関する所定の情報を表示する遊技機用表示装置であって、
前記所定の情報を表示する表示装置本体と、
前記表示装置本体を対象面に取り付けるための取付基部とを備え、
前記取付基部は、
前記対象面に取り付けられる対象面側部材と、
前記対象面側部材に対して前記表示装置本体を回動可能とするためのヒンジ部とを有し、
前記対象面側部材は、遊技媒体であるメダルを複数枚収納可能な収納部を有し、
前記表示装置本体又は前記表示装置本体に係合される部材が、前記収納部に収納された前記メダルの最上面に当接する当接部を有し、
前記収納部に収納される前記メダルの枚数の増減に応じて、前記当接部が前記メダルの最上面に当接する位置が上昇又は下降し、この当接位置の上昇又は下降に伴って、前記ヒンジ部を中心に前記表示装置本体が上方又は下方へ回動し、この回動に伴って当該表示装置本体が傾斜して、前記対象面に対する当該遊技機用表示装置の取付角度が可変する
ことを特徴とする遊技機用表示装置。
【請求項２】
前記対象面側部材は、
前記対象面に取り付けられる対象面側部材本体と、
この対象面側部材本体に対して着脱可能に形成されるとともに、収納される前記メダルの直径が異なる複数種類の前記収納部とを有し、
使用される前記メダルの種類に応じて選択された収納部を、前記対象面側部材本体に装着する
ことを特徴とする請求項１記載の遊技機用表示装置。
【発明の詳細な説明】
【技術分野】
【０００１】
本発明は、複数の遊技機のそれぞれに対応して設置され、遊技機の遊技状態や、遊技に関する所定の情報などを表示する遊技機用表示装置に関し、特に、取付対象となる面に当該装置が取り付けられたときの取付角度を、遊技機で遊技に使用されるメダルを用いて調整可能とした遊技機用表示装置に関する。
【背景技術】
【０００２】
パチンコ機やスロットマシンなどの遊技機が設置された遊技場においては、多数の遊技機を複数列で配置するために、一列分又は二列分の遊技機を収納可能に設計された島台と呼ばれる収納筐体が設けられている。
また、遊技場においては、遊技機が大当り状態になると、店員がその遊技機の上方に設けられた島台の幕板や欄間等に、「スタート」や「大当り」などが書かれた矩形状のプレートを取り付けて、その大当り状態を周囲に報知することが行われている。
【０００３】
ここで、プレートは、従来では、プラスチック製の板材に「スタート」などの文字が印刷されたものであったが、近年では、その装飾効果を高めるために、プレートを支持する本体部の内部に複数のＬＥＤを設け、プレートに向けて光を照射することで、当該プレートを発光させるようにしたものが提案されている（例えば、特許文献１参照。）。
このように、同文献に記載のプレートは、ＬＥＤからの光を受けて発光するため、発光しない従来のプレートに比べて、高い装飾効果を得ることができる。
【先行技術文献】
【特許文献】
【０００４】
【特許文献１】特開２００５−２８７９８７号公報
【発明の概要】
【発明が解決しようとする課題】
【０００５】
しかしながら、上述したプレートにおいては、次のような問題があった。
プレートは、上述したように、遊技機島の島台における幕板や欄間に取り付けられる。
幕板は、平面状の板材であって、島台に並設された複数の遊技機の上方に位置し、その板材の面方向が垂直方向となるように、島台の長手方向に沿って配設されている（図４参照）。
また、欄間は、幕板と同様、平面状の板材であるが、幕板よりも長さが短い直方体状に形成されており、複数枚の欄間が、複数の遊技機の上方で、島台の長手方向に沿って、列状に配設される。
【０００６】
島台は、複数の遊技機が並設された方向の一端から他端までの長さが、数ｍから数十ｍに及ぶものが多い。このように島台の長さは非常に長いため、島台の建て付けが少しでも狂うと、幕板や欄間の表面を島台の端から端までフラットな均一面に維持させることが困難となり、歪み（ゆがみ）や起伏が生じてしまう。そうすると、それら幕板等に複数のプレートを遊技機ごとに取り付けた場合には、その歪み等が生じたところに取り付けられたプレートの取付角度が他のプレートの取付角度と相違してしまい、島台の全体を島端から見たときに、プレートの取付角度が不揃いであることが確認されて、景観が悪くなってしまうという問題があった。
【０００７】
また、一枚のプレートを見てみると、島台の幕板等に取り付けられる当該プレートの取付角度は、固定であった。
このため、並設された複数の遊技機のそれぞれに対応してプレートを取り付けた場合、いずれのプレートも取付角度が同じになるため、演出の観点からすると、変化に乏しいものとなっていた。つまり、従来のプレートは、遊技場独自のデザインで自由にその取付角度を設計して演出効果を高めることができなかった。
【０００８】
さらに、遊技機の近傍には、上述したプレートの他にも、例えば、遊技に関する所定の情報を表示することが可能な表示装置を遊技機ごとに設けることが考えられる。
このような表示装置を設ける場合においても、上述したプレートにおいて生じていた問題を解決することが求められ、この希求に応え得る技術の提案が期待されていた。
【０００９】
本発明は、上記の問題を解決すべくなされたものであり、遊技に関する所定の情報を表示する表示装置の取付角度を調整可能にして、島端からの景観を良くするとともに、遊技場独自のデザインで自由にその取付角度を設計して演出効果を向上可能にした遊技機用表示装置の提供を目的とする。
【課題を解決するための手段】
【００１０】
この目的を達成するため、本発明の遊技機用表示装置は、遊技機の近傍に設けられるとともに遊技に関する所定の情報を表示する遊技機用表示装置であって、所定の情報を表示する表示装置本体と、表示装置本体を対象面に取り付けるための取付基部とを備え、取付基部は、対象面に取り付けられる対象面側部材と、対象面側部材に対して表示装置本体を回動可能とするためのヒンジ部とを有し、対象面側部材は、遊技媒体であるメダルを複数枚収納可能な収納部を有し、表示装置本体又は表示装置本体に係合される部材が、収納部に収納されたメダルの最上面に当接する当接部を有し、収納部に収納されるメダルの枚数の増減に応じて、当接部がメダルの最上面に当接する位置が上昇又は下降し、この当接位置の上昇又は下降に伴って、ヒンジ部を中心に表示装置本体が上方又は下方へ回動し、この回動に伴って当該表示装置本体が傾斜して、対象面に対する当該遊技機用表示装置の取付角度が可変する構成としてある。
【発明の効果】
【００１１】
本発明の遊技機用表示装置によれば、取付基部の収納部に挿入されたメダルの枚数に応じて、遊技機用表示装置の取付角度を調整できる。このため、複数の遊技機用表示装置を島台の幕板等に取り付けたときに、いずれの遊技機用表示装置の取付角度も同じ角度に調整できることから、その島台を島端から見たときに、その景観を良好なものとすることができる。
また、遊技機用表示装置の取付角度を任意の角度に調整できるので、遊技場独自のデザインで自由にその取付角度を設計して演出効果を向上させることができる。
さらに、メダルは、遊技場にて大量に使用されていることから、容易に入手可能である。
しかも、メダルは、厚みが薄いため、そのメダルの枚数に応じて遊技機用表示装置の取付角度を微調整できる。
【図面の簡単な説明】
【００１２】
【図１】本発明の実施形態における遊技機用表示装置の構成を示す外観斜視図である。
【図２】ヒンジ部を中心として表示装置本体を回動させた状態を示す外観斜視図である。
【図３】取付基部の構成を示す縦方向断面図（Ａ−Ａ断面図）であって、（ｉ）は、収納部にメダルが挿入されていない状態を示す断面図、（ii）は、収納部にメダルが複数枚挿入された状態を示す断面図である。
【図４】遊技機島の島台に複数の遊技機用表示装置が取り付けられた状態を示す外観斜視図である。
【図５】取付基部の他の構成を示す縦方向断面図（Ａ−Ａ断面図）である。
【図６】図５に示した取付基部の収納部にメダルを挿入した状態を示す縦方向断面図である。
【図７】図５に示した取付基部の構成を示す横方向断面図（Ｂ−Ｂ断面図）である。
【発明を実施するための形態】
【００１３】
以下、本発明に係る遊技機用表示装置の好ましい実施形態について、図面を参照して説明する。
【００１４】
本実施形態に係る遊技機用表示装置は、パチンコ機やスロットマシン等の遊技機が多数設置されている遊技場の遊技機島の島台に取り付けられ、少なくとも遊技機の稼動に関連して発生する遊技信号を含む入力信号に基づき、ＬＥＤ等の光源を点灯制御することで、立体形状の表示体の発光態様により、対応する遊技機の遊技状態等を報知することができるようになっている。
【００１５】
このような機能を発揮する本実施形態の遊技機用表示装置は、図１に示すように、遊技に関する所定の情報を表示する表示手段１２が設けられた表示装置本体１０と、当該遊技機用表示装置１を遊技機島の島台３における幕板４や欄間５に取り付けるための取付基部２０と、表示装置本体１０の表面における所定の位置に付設された一又は二以上の表示体３０（３０ａ、３０ｂ、３０ｃ）とを備えている。
【００１６】
表示装置本体１０は、内部に空間を有する筐体１１と、この筐体１１の内側面に形成されて遊技に関する所定の情報を表示する表示手段１２と、その筐体１１の内部空間に収納された制御基板（図示せず）とを有している。
表示手段１２は、例えば一つの数字又は文字を七つのセグメントの点灯又は消灯の組み合わせによって表現する７セグメント表示器を用いて構成されており、遊技に関する所定の情報、例えば、遊技が行われた回数を示す遊技回数、大当たりの回数を示す特賞当たり回数などを表示可能なカウンター表示部として機能する。また、遊技場の店員を呼び出す際に「ｃａｌｌ」といった文字を表示させることもできる。
【００１７】
制御基板には、表示体３０を点灯させるためのＬＥＤなどの光源（図示せず）と、複数の光源の点灯制御を行うＣＰＵからなる制御部（図示せず）と、この制御部が遊技機２から所定の信号を受信するための信号用配線（図示せず）などが配設されている。
なお、制御部が受信する所定の信号には、遊技機２の稼働に伴って当該遊技機２から出力される遊技信号が含まれる。この遊技信号には、例えば、メダルなどの遊技媒体が遊技機２に投入されたことを示す遊技媒体投入信号や、遊技機２が大当り中であることを示す大当り信号などがある。
【００１８】
制御部は、遊技機２から遊技信号を含む所定の入力信号を入力すると、この入力信号にもとづいて、光源を所定の態様で点灯制御する。
例えば、制御部が、遊技機２から遊技媒体投入信号を入力すると、光源を発光させて、表示体３０（例えば、動物のサイを模した立体形状の表示体３０ｂ）を点灯させる。これにより、遊技機２が遊技中であることをその表示体３０に表示させることができる。
また、制御部が、遊技機２から大当り信号を入力すると、光源を発光させて、表示体３０（例えば、爆発した状態を表現した形状の表示体３０ｃ）を点灯させる。これにより、遊技機２が大当り中であることをその表示体３０に表示させることができる。
さらに、制御部が、遊技機２から遊技媒体投入信号を入力すると、光源を所定時間発光させて、表示体３０（例えば、所定のキャラクターがプリントされた立体形状の表示体３０ａ）を点灯させる。これにより、遊技機２が稼動中であることをその表示体３０に表示させることができる。
【００１９】
そして、制御部が、遊技機２から遊技媒体投入信号や大当り信号を入力し、これら入力した信号にもとづいて遊技に関する所定の情報、例えば、遊技回数や大当たり回数などを算出し、これら算出した数値に応じて光源をセグメントごとに点灯制御する。これにより、それら遊技に関する情報を表示手段１２に表示させることができる。
【００２０】
ここまで、表示装置本体１０の構成と、この表示装置本体１０が発揮する表示機能について説明した。
次に、本実施形態の遊技機用表示装置１が具備する最大の技術的特徴である取付角度の調整機構について説明するために、取付基部２０の構成について詳述する。
【００２１】
取付基部２０は、図１〜図４に示すように、遊技機島の島台３に取り付けられる対象面側部材２１と、表示装置本体１０に係合してその表示装置本体１０を支持する本体側部材２２と、対象面側部材２１に対して本体側部材２２を回動可能に結合するヒンジ部（結合部材）２３とを有している。
【００２２】
対象面側部材２１は、板状の基台（対象面側部材本体）２１１と、この基台２１１の上面２１２に設けられ、円板状に形成されたメダルＭを複数枚収納可能な収納部２１３とを有している。
基台２１１には、その上面２１２から下面２１４に向かってネジ孔２１５が一又は二以上穿設されており、この基台２１１を遊技機島の島台３の天面に載置し、基台２１１のネジ孔２１５から島台３の天面のネジ孔（図示せず）に向かってネジを螺入することで、遊技機用表示装置１をその天面に取り付けることができる（図４参照）。なお、基台２１１の載置位置は、島台３の天面に限るものではなく、例えば、島台３の幕板４や欄間５に付設されたＬ字状の被取付金具（図示せず）に載置し、基台２１１のネジ孔２１５からその被取付金具のネジ孔に向かってネジを螺入することで、遊技機用表示装置１をそれら幕板４等に取り付けるようにすることもできる。
【００２３】
収納部２１３は、円形状のメダルＭを収納可能とするために有底筒形に形成されており、複数枚のメダルＭを積層させた状態で収納できるようになっている。
この収納部２１３が図２に示すように円筒形状に形成されている場合、この円筒形状の内径は、円板状であるメダルＭの直径よりも若干長い程度となっている。このため、その収納部２１３にメダルＭを容易に挿入でき、取り出しも容易である。また、収納部２１３は、当該収納部２１３の中で積層された複数枚のメダルＭが外方へずれるのを防止するためのガイドとしても機能する。
この収納部２１３に対してメダルＭを挿入するときは、その収納部２１３である有底筒形の上面にて開口した挿入口２１６ａから挿入する。そして、その収納部２１３に複数枚のメダルＭが挿入されたときは、その有底筒形の底面すなわち基台２１１の上面２１２から上方（つまり本体側部材２２の下部に向かう方向）に積み上げられた状態で収納される。
【００２４】
本体側部材２２は、表示装置本体１０に係合して当該表示装置本体１０を支持する部材であって、表示装置本体１０の下端部が収納可能なように凹状に形成されている。
また、本体側部材２２は、ヒンジ部２３を介して対象面側部材２１に回動自在に取り付けられている。
なお、ヒンジ部２３は、前述したように、対象面側部材２１に対して本体側部材２２を回動可能に結合する部材であるが、これに伴って、その本体側部材２２に係合された表示装置本体１０を対象面側部材２１に対して回動可能とする機能も有している。
【００２５】
本体側部材２２の下部には、対象面側部材２１に向かう方向に突設された当接部２２２が設けられている。当接部２２２の先端（又は、下側面）は、収納部２１３に挿入されたメダルＭの最上面（収納部２１３に挿入された一枚又は複数枚のメダルＭのうち最も上に位置するメダルＭの上面）に当接する。
【００２６】
この当接部２２２は、本体側部材２２に固定されている。また、収納部２１３に挿入されたメダルＭの枚数が増加して当該メダルＭの最上面の位置が上昇すると、これに伴って、当接部２２２がその最上面に当接する位置も上昇する。そして、このようにメダルＭの最上面に対する当接部２２２の当接位置が上昇すると、ヒンジ部２３を中心として本体側部材２２が回動する角度が大きくなり、これに伴って、その本体側部材２２に係合された表示装置本体１０の傾斜角度が大きくなる。これにより、対象面に対する遊技機用表示装置１の取付角度を可変できる。
【００２７】
図３（ｉ）、（ii）を用いてさらに説明する。
例えば、図３（ｉ）に示すように、収納部２１３にメダルＭが一枚も挿入されていないときは、本体側部材２２の底部２２１が対象面側部材２１の上面２１２に接触した状態となり、図１に示すように、表示装置本体１０の長手方向がほぼ水平な状態となる。
ここで、本体側部材２２と対象面側部材２１は、上述したように、ヒンジ部２３を介して回動自在に結合されているが、対象面側部材２１に対して本体側部材２２が止めピンなどで係止固定されているわけではないので、少し力を加えただけでその本体側部材２２を容易に回動させることができる。ただし、収納部２１３にメダルＭが一枚も収納されていない状態においては、図１に示すように、本体側部材２２の底部２２１が基台２１１の上面２１２に接触し、かつ、表示装置本体１０の長手方向がほぼ水平な状態で維持される。これは、対象面側部材２１の下面２１４が水平状態であることを前提に、ヒンジ部２３を中心として、本体側部材２２の重心よりも遠方に表示装置本体１０の重心が位置しており、この表示装置本体１０の自重によって、本体側部材２２の底部２２１が基台２１１の上面２１２に向かう方向に加重されるためである。
【００２８】
これに対し、図３（ii）に示すように、収納部２１３にメダルＭが複数枚（図３（ii）においては、二枚）挿入されたときは、このメダルＭの最上面に当接部２２２が当接する位置が積層されたメダルＭの厚みの総和分だけ高くなり、この高くなった分だけ本体側部材２２がヒンジ部２３を中心として上方へ回動し、この回動した角度に応じて表示装置本体１０の長手方向が水平から上方へ起き上がる方向に傾斜する。これにより、対象面に対する遊技機用表示装置１の取付角度を水平から上方へ変移させることができる。
なお、図３（ii）に示す状態においては、表示装置本体１０の自重が本体側部材２２の当接部２２２を介してメダルＭの最上面に加重されるが、当接部２２２はメダルＭの最上面より下方に下がることがないので、表示装置本体１０は、その長手方向が水平から上方へ変移した角度で維持される。
【００２９】
また、メダルＭの挿入枚数を減少させたときには、その表示装置本体１０の長手方向が水平に向かって下がる方向に変移する。
例えば、収納部２１３に挿入されていた三枚のメダルＭを一枚に減少させたときは、このメダルＭの最上面に当接部２２２が当接する位置が減少したメダルＭの厚みの総和分（ここでは二枚分）だけ下降し、この下降した分だけ本体側部材２２がヒンジ部２３を中心として下方へ回動し、この回動した角度に応じて表示装置本体１０の長手方向が水平に向かう方向へ下降する。これにより、対象面に対する遊技機用表示装置１の取付角度を下方へ変移させることができる。
このように、メダルＭの枚数を増加させたときだけでなく、減少させたときにも、対象面に対する遊技機用表示装置１の取付角度を変化させることができる。
【００３０】
なお、図１に示した遊技機用表示装置１は、対象面側部材２１の基台２１１が水平面上に載置された場合であって、収納部２１３にメダルＭが一枚も挿入されていないときに、表示装置本体１０の長手方向が水平方向となるような形状に形成されているが、表示装置本体１０の形状は、このような形状に限るものではなく、例えば、表示装置本体１０の先端部が当該表示装置本体１０における取付基部２０への接続側端部から下方に垂下した形状に形成されていてもよい。この場合、収納部２１３にメダルＭを挿入することで、その表示装置本体１０の長手方向を水平に向かう方向に上昇させることができ、さらにメダルＭの挿入枚数を増加させることで、その長手方向を水平よりも上方へ変移させることができる。
このように、メダルＭの挿入枚数に応じて表示装置本体１０が変移する角度の調整可能範囲、すなわち、対象面に対する遊技機用表示装置１の取付角度の調整可能範囲は、水平を含む範囲とすることができる。よって、表示装置本体１０の形状がどのような形状であっても、その表示装置本体１０を水平を含む所望の角度に調整でき、この調整した角度で保持することができる。
【００３１】
また、本実施形態においては、基台２１１の載置面が水平面であることを前提として説明したが、その載置面は、水平面に限るものではなく、水平に対して傾斜した角度を有した面であってもよい。このような傾斜面に基台２１１を載置した場合において、表示装置本体１０の先端部が当該表示装置本体１０における取付基部２０への接続側端部から下方に垂下した状態となったときであっても、上述したように、水平を含む調整可能範囲内で表示装置本体１０の角度を変移させることができる。よって、載置面の傾斜角度に左右されることなく、表示装置本体１０を所望の角度に調整でき、この調整した角度で保持させることができる。
【００３２】
以上のように、本実施形態の遊技機用表示装置１は、本体側部材２２の底部２２１と対象面側部材２１の上面２１２との間にメダルＭを一枚又は複数枚介在させることにより、その本体側部材２２に係合した表示装置本体１０をヒンジ部２３を中心として回動させ、この回動に伴って表示装置本体１０の傾斜角度を変移させることができる。よって、対象面に対する遊技機用表示装置１の取付角度を、そのメダルＭの枚数の増減によって調整することができる。
また、遊技機用表示装置１の取付対象となる島台３の幕板４や欄間５に歪みや起伏がある場合でも、その歪み等が生じている個所に取り付けられた遊技機用表示装置１の取付角度をメダルＭの介在枚数の増減により調整することで、遊技機２ごとに取り付けられた複数の遊技機用表示装置１を、すべて同じ取付角度に統一することができる。これにより、それら複数の遊技機用表示装置１が同じ取付角度で並設されることから、島台３を島端から見たときに、その景観を良好なものとすることができる。
【００３３】
さらに、島台３の幕板４等に取り付けられた複数の遊技機用表示装置１の取付角度を、任意に定めた規則性に従って一つ一つ調整することで、演出効果を高めることができる。例えば、一つの島台３において、複数の遊技機用表示装置１の取付角度を次第に上方に向くようにしたり、波形（うねり）を描くようにしたり、凹凸を繰り返すようにしたりするなどの規則性に従ってそれらの取付角度を調整することができる。また、遊技場においてイベントが行われる場合や推奨台を設ける場合には、対象となる遊技機２に対応して取り付けられた遊技機用表示装置１の取付角度を他の遊技機用表示装置１の取付角度と異なるようにしてアクセントを付けるような演出も可能となる。このように、遊技機用表示装置１の取付角度は、遊技場側の自由な発想により様々な態様で設計できることから、遊技場独自のデザインを創作して演出効果を高めることができる。
【００３４】
しかも、本実施形態の遊技機用表示装置１は、対象面側部材２１が固定された状態で遊技場の店員が表示装置本体１０を持ち上げて収納部２１３を開放状態とすることでメダルＭの挿入枚数を容易に増減可能となっていることから、遊技機用表示装置１を島台３に取り付けるときだけでなく、取り付けた後においても、自由にその挿入枚数を増減でき、当該遊技機用表示装置１の取付角度を自由に調整できる。
【００３５】
また、収納部２１３に挿入されるメダルＭは、薄肉円板状に形成されており、直径や厚さが一定であり、その厚さが比較的薄い。具体的には、例えば、直径２５φ×厚さ１．６ｍｍのものや、直径３０φ×厚さ１．７ｍｍのものなどが使用されている。このようにメダルＭは、直径等について規格が統一されていることから取扱いが容易であり、厚さが薄いことから遊技機用表示装置１の取付角度を微調整できる。しかも、メダルＭは、スロットマシンなどの遊技機２で遊技に使用される遊技媒体であって、遊技場において大量に使用されていることから入手が容易である。
【００３６】
なお、図２、図３においては、収納部２１３が基台２１１と一体成形された構造となっているが、一体成形することに限るものではなく、それら収納部２１３と基台２１１とを個別に成形することもできる。このように個別に成形する場合には、図５に示すように、例えば、収納部２１３の底面に先端鉤状の突設部２１７を設け、基台２１１の上面２１２には、その突設部２１７が係入可能な係入孔２１８を穿設する。これにより、収納部２１３が基台２１１に対して着脱可能となる。
そして、このように収納部２１３が基台２１１に対して着脱可能となることで、様々な種類のメダルＭを使用できるようになる。例えば、直径が２５φのメダルＭを収納可能な収納部２１３と、直径が３０φのメダルＭを収納可能な収納部２１３とを用意する。そして、使用するメダルＭを選択し、このメダルＭの直径に適合した収納部２１３を選択して、基台２１１の上面２１２に装着する。これにより、その選択したメダルＭを用いて遊技機用表示装置１の取付角度を調整することができる。
しかも、機種の異なる複数の遊技機２が設置された遊技場において、それら機種ごとに直径の異なるメダルＭが使用されているようなときは、いずれのメダルＭを用いるかを任意に決めることができ、この使用することとしたメダルＭを挿入可能な収納部２１３を基台２１１に装着することで、そのメダルＭを用いて遊技機用表示装置１の取付角度を調整できる。
【００３７】
また、図２、図３においては、収納部２１３が、メダルＭを五枚程度収納可能な高さに形成されているが、この高さは、任意に決めることができる。例えば、図５、図６に示すように、メダルＭを十枚程度収納可能な高さに形成することができる。ただし、このように多くのメダルＭを収納できる高さに形成する場合は、その収納部２１３の形状を、高さ方向でかつヒンジ部２３に向かう方向に湾曲した形状（図６に示すように、ヒンジ部２３を中心として本体側部材２２を回動させたときに、当接部２２２の端部が移動する軌跡Ｓに沿った形状）に形成するのが望ましい。これにより、メダルＭの枚数が増加しても当接部２２２の先端をそのメダルＭの最上面に必ず当接させることができる。また、本体側部材２２の内面が収納部２１３に接触してそれ以上の回動が抑制される事態を回避できる。
【００３８】
さらに、図２においては、収納部２１３の形状を円筒形状としているが、円筒形状に限るものではなく、例えば、図７に示すように、矩形の筒形形状とすることができる。
また、図２においては、収納部２１３におけるメダルＭの挿入口２１６ａがメダルＭの積層方向上方に形成されているが、挿入口の形成位置は、メダルＭの積層方向上方に限るものではない。例えば、図７に示すように、収納部２１３の側面であってヒンジ部２３に対向する面とは反対側の側面（図７においては、収納部２１３の右側面）に、メダルＭが挿通可能な大きさの切り欠きを形成し、これをメダルＭの挿入口２１６ｂとすることができる。これにより、収納部２１３の側面からメダルＭを挿入することができる。しかも、収納部２１３にメダルＭを挿入する際は、ヒンジ部２３を中心として本体側部材２２を回動させるが、収納部２１３の挿入口２１６ｂがメダルＭの積層方向上方ではなく収納部２１３の側面に形成されているため、本体側部材２２を大きく回動させなくても、少し回動させただけで、メダルＭを収納部２１３に容易に挿入できる。
【００３９】
以上、本発明の遊技機用表示装置の好ましい実施形態について説明したが、本発明に係る遊技機用表示装置は上述した実施形態にのみ限定されるものではなく、本発明の範囲で種々の変更実施が可能であることは言うまでもない。
例えば、上述した実施形態では、遊技機用表示装置の取付角度を調整するための部材の具体例としてメダルを挙げたが、その調整部材はメダルに限るものではなく、所定の厚さを有する板状（円板状、円環状、矩形板状、多角形の板状を含む）の部材であれば、どのようなものを用いてもよい。また、材料についても、例えば、金属、プラスチック、紙など、任意の材料で形成された板状の部材を上記の調整部材として用いることができる。
また、図２においては、当接部が二つ形成されており、図７においては、一つのみ形成されている。このように、当接部は、一又は二以上形成することができる。
【００４０】
さらに、上述した実施形態においては、当接部が、本体側部材の下部に形成されているが、この構成に限るものではなく、その当接部を表示装置本体に形成することもできる。この場合、本体側部材を筒状に形成し、表示装置本体の下端部に当接部を形成し、この下端部を本体側部材の上部開口から挿入し、本体側部材の下部開口からその当接部が露出するようにする。このような構成とすれば、その当接部は、収納部に挿入されたメダルの最上面に当接可能となり、上記実施形態で説明した当接部と同様の機能をその当接部に発揮させることができる。
【００４１】
また、上述した実施形態においては、取付基部の本体側部材と表示装置本体とが別の部材として構成されているが、それらは別の部材として構成することに限るものではなく、一体形成した構成、すなわち、表示装置本体の一部を本体側部材として機能させる構成とすることもできる。具体的には、例えば、表示装置本体の下端部を本体側部材に相当する部分とし、この相当部分がヒンジ部を介して対象面側部材と回動可能に結合されるようにする。また、その相当部分に、下方に突出した当接部を形成する。そして、その当接部を、収納部に挿入されたメダルの最上面に当接させる。このような構成とすれば、メダルの最上面にその当接部が当接する位置がメダルの挿入枚数に応じて上昇又は下降して表示装置本体の角度を可変できる。よって、表示装置本体の一部を本体側部材として機能させることが可能となる。
【産業上の利用可能性】
【００４２】
本発明は、遊技機の近傍に設けられ、遊技に関する所定の情報を表示する表示装置に利用可能である。
【符号の説明】
【００４３】
１  遊技機用表示装置
１０  表示装置本体
１２  表示手段
２０  取付基部
２１  対象面側部材
２１１  基台（対象面側部材本体）
２１３  収納部
２２  本体側部材
２２２  当接部
２３  ヒンジ部（結合部材）
２  遊技機
Ｍ  メダル
【図１】
0005899551.tif 000002
【図２】
0005899551.tif 000003
【図３】
0005899551.tif 000004
【図４】
0005899551.tif 000005
【図５】
0005899551.tif 000006
【図６】
0005899551.tif 000007
【図７】
0005899551.tif 000008